(57)【要約】  【課題】  簡単な操作によりディスクの初期化およびディスク装置の初期化を容易に行うことができるディスク装置を提供する。  【解決手段】  初期化に関した指令を発する初期化キーと、ディスク２およびディスク装置１の初期化に関したメニュー項目を画面上に表示する表示手段１３と、前記初期化キーから初期化開始指令が入力すると、前記表示手段１３を制御して前記画面にディスク２またはディスク装置１の何れかの初期化を選択させるサインを表示させ、次いで、前記初期化キーからディスク２の初期化開始指令が入力すると、このディスク２の情報を読み取り、所定のフォーマットでないときに初期化を実行させる一方、前記ディスク装置１の初期化開始指令が入力したときは、所定の初期化を実行させる制御手段１５と、を備えてなる。【選択図】      図  1
2005339618.tif 000002
【特許請求の範囲】
【請求項１】
初期化に関した指令を発する初期化キーと、
ディスクおよびディスク装置の初期化に関したメニュー項目を画面上に表示する表示手段と、
前記初期化キーから初期化開始指令が入力すると、前記表示手段を制御して前記画面にディスクまたはディスク装置の何れかの初期化を選択させるサインを表示させ、
次いで、前記初期化キーからディスクの初期化開始指令が入力すると、このディスクの情報を読み取り、所定のフォーマットでないときに初期化を実行させる一方、前記ディスク装置の初期化開始指令が入力したときは、所定の初期化を実行させる制御手段と、を備えたディスク装置。
【請求項２】
初期化や設定に関した指令を発する初期化キーと、
ディスクおよびディスク装置の初期化に関したメニュー項目を画面上に表示する表示手段と、
前記初期化キーから初期化開始指令が入力すると、前記表示手段を制御して前記画面にディスクまたはディスク装置の何れかの初期化を選択させるサインを表示させ、
次いで、前記初期化キーから前記ディスクもしくはディスク装置の何れかの選択指令が入力すると、その選択に応じて所定の初期化を実行させる制御手段と、を備えたディスク装置。
【請求項３】
前記制御手段が、前記ディスクの初期化開始指令が入力したとき、このディスクの情報を読み取り、所定のフォーマットでないときに初期化を実行させることを特徴とする請求項２に記載のディスク装置。
【請求項４】
前記制御手段が、前記初期化キーから前記ディスク装置の設定開始指令が入力したとき、前記表示手段を制御して前記画面に前記ディスク装置の設定項目を表示させ、次いで、前記設定項目のうち全てを選択する指令が入力すると、全項目の設定を実行させるとともに、特定の設定項目を選択する指令が入力すると、その被選択項目のみの設定を実行させることを特徴とする請求項２に記載のディスク装置。
【請求項５】
前記制御手段が、前記画面に前記ディスク装置の設定項目を表示させているとき、前記初期化キーから特定の設定項目を選択する指令が入力すると、その被選択項目のみの設定を実行させることを特徴とする請求項２に記載のディスク装置。
【発明の詳細な説明】
【技術分野】
【０００１】
本発明は、ＤＶＤ(Digital Versatile Disc)に情報を記録または再生するＤＶＤプレイヤー等のディスク装置に係り、特に、ディスクおよびＤＶＤプレイヤーの初期化を簡便に行い得るディスク装置に関する。
【背景技術】
【０００２】
情報記憶媒体およびこれを利用する再生装置等を初期化する一例として、メモリカードが所定の形式でフォーマットされているか否かを検知可能とする音声記録再生装置が提案されている（例えば、特許文献１参照）。
【０００３】
このものは、フォーマットボタン、表示器および主制御回路等を備えており、メモリカードが所定位置に装着されたとき、主制御回路が記憶情報からフォーマット状態を読み取り、ディジタルディクテーション専用のファイル構造でフォーマットされているか否かを判断する。
【０００４】
メモリカードがこの形式でフォーマットされていないときは、それを表示器に表示させた後、このメモリカードをディジタルディクテーション専用のファイル構造でフォーマットする構成になっている。
【０００５】
これにより、ユーザーはメモリカードが所定の形式でフォーマットされているかを判別でき、フォーマットされていないときはその時点でフォーマットを指示できるというものである。
【特許文献１】特開平１０−２０８９９号公報  また、PDAのようにRAMを用いてデータをバックアップする組込装置において、ユーザーデータの少なくとも一部を保護し初期化する組込装置の初期化方法が知られている（例えば、特許文献２参照）。
【０００６】
このものは、ユーザーにより選択された組込装置のハードリセットモードを指示するハードリセット選択信号を受けると、制御部がこれに応答してハードリセットモードの選択をユーザーに対して警告する確認メッセージを提供するようになっている。
【０００７】
この結果、ユーザーの意図しない間違いによるデータの喪失を事前に防止し、データをより安全に保存できるというものである。
【特許文献２】特開２００３−２７１２６５号公報
【発明の開示】
【発明が解決しようとする課題】
【０００８】
ところで、上記特許文献１の音声記録再生装置は、メモリカードが所定の形式でフォーマットされていないときに、その時点でのフォーマットを可能にしているが、映像・音声情報を長時間記録するＤＶＤのようなディスク式情報記憶媒体を簡単な操作でフォーマットし得るものではない。
【０００９】
また、特許文献２の組込装置の初期化方法は、データの喪失を事前に防止することにより、ユーザーデータの少なくとも一部を保護して初期化することはできるが、やはり、ＤＶＤを含むディスク式情報記憶媒体をフォーマットすることはできないものである。
【００１０】
そこで、本発明は、上記の問題に鑑みてなされたものであり、簡単な操作によってディスクの初期化およびディスク装置の初期化を容易に行うことができるディスク装置を提供することを目的としている。                 
【課題を解決するための手段】
【００１１】
上記目的を達成するため、本発明によるディスク装置は、初期化に関した指令を発する初期化キーと、ディスクおよびディスク装置の初期化に関したメニュー項目を画面上に表示する表示手段と、前記初期化キーから初期化開始指令が入力すると、前記表示手段を制御して前記画面にディスクまたはディスク装置の何れかの初期化を選択させるサインを表示させ、次いで、前記初期化キーからディスクの初期化開始指令が入力すると、このディスクの情報を読み取り、所定のフォーマットでないときに初期化を実行させる一方、前記ディスク装置の初期化開始指令が入力したときは、所定の初期化を実行させる制御手段と、を備えてなる。
【００１２】
また、上記目的を達成するための本発明によるディスク装置は、初期化や設定に関した指令を発する初期化キーと、ディスクおよびディスク装置の初期化に関したメニュー項目を画面上に表示する表示手段と、前記初期化キーから初期化開始指令が入力すると、前記表示手段を制御して前記画面にディスクまたはディスク装置の何れかの初期化を選択させるサインを表示させ、次いで、前記初期化キーから前記ディスクもしくはディスク装置の何れかの選択指令が入力すると、その選択に応じて所定の初期化を実行させる制御手段と、を備えてなる。
【００１３】
また、前記制御手段が、前記ディスクの初期化開始指令が入力したとき、このディスクの情報を読み取り、所定のフォーマットでないときに初期化を実行させることを特徴とする。
【００１４】
また、前記制御手段が、前記初期化キーから前記ディスク装置の設定開始指令が入力したとき、前記表示手段を制御して前記画面に前記ディスク装置の設定項目を表示させ、次いで、前記設定項目のうち全てを選択する指令が入力すると、全項目の設定を実行させるとともに、特定の設定項目を選択する指令が入力すると、その被選択項目のみの設定を実行させることを特徴とする。
【００１５】
また、前記制御手段が、前記画面に前記ディスク装置の設定項目を表示させているとき、前記初期化キーから特定の設定項目を選択する指令が入力すると、その被選択項目のみの設定を実行させることを特徴とする。
【発明の効果】
【００１６】
以上説明したように、本発明によるディスク装置は、初期化キーからディスクの初期化開始指令が入力すると、このディスクの情報を読み取り、所定のフォーマットでないときに初期化を実行させる一方、ディスク装置の初期化開始指令が入力したときは、所定の初期化を実行させるので、表示を見ながらユーザーの簡単な操作によりディスクの初期化およびディスク装置の初期化を容易に行える効果がある。
【００１７】
また、上記目的を達成するための本発明によるディスク装置は、初期化キーからディスクもしくはディスク装置の何れかの選択指令が入力すると、その選択に応じて所定の初期化を実行させるので、表示を見ながらユーザーの簡単な操作によりディスクの初期化およびディスク装置の初期化を容易に行える効果がある。
【００１８】
また、前記制御手段が、ディスクの初期化開始指令が入力したとき、このディスクの情報を読み取り、所定のフォーマットでないときに初期化を実行させることから、ユーザーはディスクのフォーマットを確かめる必要なく直ぐに使用することができる利点がある。
【００１９】
また、前記制御手段が、初期化キーからディスク装置の設定項目のうち全てを選択する指令が入力すると、全項目の設定を実行させるとともに、特定の設定項目を選択する指令が入力すると、その被選択項目のみの設定を実行させるので、ユーザーの必要に応じた設定を速やかに行える利点がある。
【００２０】
また、前記制御手段が、画面にディスク装置の設定項目を表示させているとき、初期化キーから特定の設定項目を選択する指令が入力すると、その被選択項目のみの設定を実行させるので、ユーザーの任意な選択に応じた設定を速やかに行える利点がある。
【発明を実施するための最良の形態】
【００２１】
以下、本発明のディスク装置の実施形態について、図面を参照しながら詳述する。
【００２２】
図１は本発明の一実施形態であるディスク装置の電気的構成を示すブロック線図である。
【００２３】
本実施形態のディスク装置は、ＤＶＤプレイヤー１に適用されたもので、リモコン (リモートコントローラ) １６の押キー操作によりＤＶＤ２の記録情報を再生し、モニタ１１の画面に所望の映像を表示させる構成になっている。
【００２４】
このＤＶＤ２は、記録トラックの情報記録領域に、映像・音響情報が記録される。
【００２５】
また、このＤＶＤ２は、情報記録領域に映像・音響情報をディジタルデータで書き込むとき、スパイラル状の記録トラックにおける細かなポイント(位置)を示すためのアドレスが予めふられている。このアドレスは、映像・音響情報の最初の記録位置から最後の記録位置までの経過時間に対応している。
【００２６】
そして、リードインエリヤのＴＯＣ領域には、各チャプターおよび各タイトルの記録位置が、記録開始位置(タイトル番号１のチャブター１番目)からの経過時間情報に対応させたアドレスデータで記録される。
【００２７】
よって、このＴＯＣ領域のデータが読み出されると、記録トラックの情報記録領域に記録された映画等のタイトル番号、チャプター番号、これらの記録開始および終了位置、さらに、詳細な記録時間等をモニタ１１の画面に表示可能である。
【００２８】
図１において、３は駆動系のモータであり、前記ＤＶＤ２を回転駆動させる。また、４は光ピックアップであって、ＤＶＤ２のトラックから光学的に読み取った情報を信号処理部（図示省略）に送出する。この信号処理部は、読出部６および制御部１５に接続されており、前記読取情報を信号処理してそれぞれに伝送する。
【００２９】
なお、モータ３や光ピックアップ４は、サーボ制御部５により動作速度が制御されるようになっている。
【００３０】
前記読出部６は、ＤＶＤ２から読み出された圧縮映像音声データを分離化部７に送出する。また、この分離化部７は、圧縮映像音声データを圧縮映像データバケットと圧縮音声データバケットとに分離し、伸長部８へ伝送する。
【００３１】
この伸長部８は、前記分離化部７にて分離された圧縮映像データバケットおよび圧縮音声データバケットをそれぞれ復号して元の映像音声情報に伸長する。
これら読出部６、分離化部７および伸長部８は、一般のデコーダＩＣによって構成されている。
【００３２】
また、９は映像情報出力部であって、前記伸長部８により伸長された映像データを、例えば、テレビ等のモニタ１１の画面に表示させるべくＮＴＳＣあるいはＰＡＬ方式のカラーテレビジョン信号に変換して出力する。
【００３３】
１０は音声情報出カ部であり、前記伸長部８によって伸長された音声データをスピーカ１２に送出して放音させる。
【００３４】
１３は、OSD（On Screen Display）用の表示回路であり、出力が映像情報出力部９に接続されている。そして、制御部１５の表示制御に基づき、映像情報出力部９にOSD信号を出力し、モニタ１１の画面にメニュー、初期化の項目等を表示させる。
【００３５】
なお、初期化には、SET（ＤＶＤプレイヤー１） とDISC（ＤＶＤ２）の２種があり、SETの初期化においては、言語、時間およびオーディオを表示する。言語は、工場出荷時に設定された主言語、時間は現在時刻の設定や調整等である。
【００３６】
また、オーディオは、ＭＰ３（MPEG Audio Layer-3）、ＰＣＭ（Pulse Code Modulation）、ＤＴＳ（Digital Theater System）、ドルビーディジタル（デジタルマルチチャンネル音声規格）およびダイナミックレンジ（再生し得る最小音と最高音の比：ｄｂ）等である。
【００３７】
一方、DISCの初期化は、ＤＶＤ−ＲＡＭとＤＶＤ−ＲＷのうち、このＤＶＤプレイヤー１が採用する規格にＤＶＤをフォーマットするもので、機種によっては両方を使用可能にフォーマットする。
【００３８】
１４は受信部であり、後述のリモコン１６から送信されてくる赤外線信号を受信し、伝送信号を制御部１５側に送出する。
【００３９】
１５はマイクロコンピュータからなる制御部であり、メモリやタイマを備えていて、装置全体の動作を制御する。この制御部１５は、前記回路各部とその機能に応じて一方向または双方向性に接続されている。
そして、リモコン１６からの指令信号に対応したモードに移行し、サーボ制御部５に制御信号を送出して駆動機構を制御することにより、通常の再生、スロー再生、早送り、早戻しおよび停止といった各種動作を実行する。
【００４０】
また、前記読出部６、分離化部７および伸長部８等の動作制御を行い、ＤＶＤ２の記録情報を読み出してモニタ１１の画面１１aに映像を表示させ、かつスピーカ１２から音声を放音させる。
【００４１】
なお、この制御部１５は、各種ＤＶＤをＤＶＤプレイヤー１で使用可能なフォーマットに書き換えするためのデータをメモリに予め記憶している。
そして、リモコン１６の初期化キー１９が押圧操作されたとき、これに応じてモニタ１１の画面１１aにメニューや選択項目を表示させた後、その選択指令に従った制御を行う構成となっている。
【００４２】
１６はリモコンであり、リモコン本体にはＤＶＤプレイヤー１を操作するための各種操作キーが配設されている。
【００４３】
この操作キーとしては、一般のリモコンと同様、リモコン本体の前部側に電源オン・オフ用のパワーキー１７やトレイ開閉用の開閉キー等が配置されている。
【００４４】
また、リモコン本体のほぼ中央にテンキー１８やメニューキー１９、初期化キー２０およびフォーマットキー２１等を設けている。そして、後部側にはカーソルキー２２や決定キー２３等を配設している。
【００４５】
メニューキー１９は、モニタ１１の画面１１aにメニュー（MENU）を表示させる指令を出力する。初期化キー２０は、SETの初期化またはDISCの初期化指令を出力する。また、SETの設定を行う場合、設定指令をも出力可能となっている。
【００４６】
フォーマットキー２１は、ＤＶＤ２のフォーマットを開始させる指令を出力する。カーソルキー２２は、機能キーを兼ねており、上下左右に配置された各キーにプレイ、ストップ、早送り、早戻し機能が割り当てられている。
【００４７】
このカーソルキー２２は、メニューキー１９でモニタ１１の画面１１aにメニューを表示させたときに何れかを操作すると、画面１１a上のカーソルを移動させて所望の項目を選択する指令を出力するようになっている。
【００４８】
決定キー２３は、前記キーの操作に応じて画面１１aに表示された選択項目を決定する指令を出力する。
【００４９】
このように構成されたリモコン１６は、何れかのキーが押圧操作されると、この操作内容に応じた情報が赤外線信号でＤＶＤプレイヤー１側に送信される。
【００５０】
次に、上記ＤＶＤプレイヤーの動作について、図を参照しつつ説明する。
【００５１】
まず、ＤＶＤプレイヤー１およびＤＶＤ２の初期化について説明する。
【００５２】
ユーザーは、リモコン１６の初期化キー２０の操作で直ぐに初期化を開始できるが、メニューキー１９を操作しても初期化が可能である。
【００５３】
このメニューキー１９を操作した場合、制御部１５が表示回路１３を制御して、図３に示すように、モニタ１１の画面１１aにメニューを表示させる。
【００５４】
このメニューの項目は、設定、初期化および便利な機能等であり、ユーザーがカーソルキー２２を操作して初期化を選択し、決定キー２３を押すと、制御部１５が初期化モードに移行する。
【００５５】
この初期化モードにおいては、図４に示す如く初期化、SETの初期化およびDISCの初期化の文字が表示され、何れかを選択することにより初期化を開始させることができる。
【００５６】
一方、ユーザーがリモコン１６の初期化キー２０を操作すると、制御部１５は、図４に示したように初期化、SETの初期化およびDISCの初期化の文字を表示させる。
【００５７】
まず、ＤＶＤプレイヤー１を初期化したい場合、SETの初期化を選択すると、図５に示すように、「SETを初期化して良いですか？」“YES”“NO”が表示される。
【００５８】
ここで、“YES”を選択すると、図７に示す如くSETの初期化に入り、言語、時間、オーディオの３種が表示される。
【００５９】
ユーザーが、オーディオを選択すると、図８に示すように、MP3、PCM、DTS、ドルビーディジタルおよびダイナミックレンジが表示される。
【００６０】
ユーザーが例えば、MP3を選択して決定すると、MPEG 方式のオーディオレイヤー３に初期化することができる。
【００６１】
また、同じようにPCM、DTS、ドルビーディジタルまたはダイナミックレンジを選択すると、その何れかを容易に初期化することができる。
【００６２】
次に、ＤＶＤの初期化について説明する。
【００６３】
まず、ＤＶＤプレイヤー１の所定位置にＤＶＤ２を挿入セットすると、このＤＶＤ２の管理情報が読み取られて制御部１５に送出される。
【００６４】
この制御部１５は、ＤＶＤ２の管理情報をメモリに記憶されているフォーマット情報と照合し、一致しないときは初期化を開始させる。
【００６５】
このように、ＤＶＤ２を所定位置に挿入セットすると、種類を問わず自動的に初期化がなされるから、直ぐに録画を開始することができる。
【００６６】
また、一度使用したＤＶＤ２を初期化する場合、リモコン１６の初期化キー２０を操作すると、図４に示したように初期化、SETの初期化およびDISCの初期化の文字が表示される。
【００６７】
ここで、DISCの初期化を選択すると、図６に示すように、「DISCを初期化して良いですか？」“YES”“NO”が表示される。
【００６８】
このとき、“YES”を選択すると、DISCの初期化に入り、このＤＶＤプレイヤー１の採用しているフォーマットに初期化がなされる。よって、このＤＶＤを直ぐに使用することができる。
【００６９】
ところで、このＤＶＤプレイヤー１の初期化について説明したが、改めて設定を行うこともできる。
【００７０】
この場合は、メニューキー１９を操作すると、制御部１５が表示回路１３を制御して、図３に示したように、モニタ１１の画面１１aに設定、初期化および便利な機能が表示される。
【００７１】
ここで、ユーザーが設定を選択し、決定キー２３を押すと、制御部１５が設定モードに移行する。
【００７２】
この設定モードにおいては、図示省略しているが、設定のタイトルとともに言語、時間およびオーディオの文字が表示される。
【００７３】
このとき、ユーザーが設定のタイトルを選択し、決定キー２３を押すと、制御部１５が言語、時間およびオーディオの全てを工場出荷時の設定に戻させる。
【００７４】
一方、ユーザーが言語、時間またはオーディオの何れかを選択すると、個別の設定を開始させることができる。
【００７５】
例えば、オーディオを選択した場合は、MP3、PCM、DTS、ドルビーディジタルおよびダイナミックレンジを初期状態に設定し直すことができる。
【００７６】
なお、本発装置明は上記の各実施形態に限定されず、本発明の趣旨を逸脱しない範囲で、種々の変更が可能である。
【図面の簡単な説明】
【００７７】
【図１】本発明の一実施形態であるディスク装置の電気的構成を示すブロック線図である。
【図２】リモコン装置の概要説明図である。
【図３】モニタに表示されたメニューの画面図である。
【図４】モニタに表示された初期化種別の画面図である。
【図５】モニタに表示されたSET初期化の画面図である。
【図６】モニタに表示されたDISC初期化の画面図である。
【図７】モニタに表示されたSET初期化の例を示す画面図である。
【図８】モニタに表示されたオーディオの内容を示す画面図である。
【符号の説明】
【００７８】
１      ディスク装置
２      ディスク装置
１３    表示手段
１５    制御手段
【図１】
2005339618.tif 000003
【図２】
2005339618.tif 000004
【図３】
2005339618.tif 000005
【図４】
2005339618.tif 000006
【図５】
2005339618.tif 000007
【図６】
2005339618.tif 000008
【図７】
2005339618.tif 000009
【図８】
2005339618.tif 000010